(57)【要約】【課題】作業員が固定アゴ部側閉じ部と可動アゴ部側閉じ部とを手動で操作せずにアタッチメントに設けられた固定アゴ部側連結ピンと可動アゴ部側連結ピンを挟持する。【解決手段】固定アゴ部側閉じ部１ａ３３には、固定アゴ部側ピン挟持部１ａ３１との間で固定アゴ部側連結ピン２ａを挟持する固定閉じ部側ピン挟持部１ａ３３ａを設けると共に、固定アゴ部側連結ピン２ａが当接した場合、回動して固定アゴ部側連結ピン２ａを固定アゴ部側ピン挟持部１ａ３１と固定閉じ部側ピン挟持部１ａ３３ａとの挟持状態まで案内する固定閉じ部側連結ピン案内面１ａ３３ｂを設ける一方、可動アゴ部側閉じ部１ｂ３３も、可動閉じ部側ピン挟持部１ｂ３５ａを設けると共に、可動閉じ部側ピン案内面１ｂ３５ｂを設ける。また固定アゴ部１ａには被係合部１ａ３５を設ける一方、可動アゴ部側閉じ部１ｂ３３には固定アゴ部１ａの被係合部１ａ３５に係合する係合部１ｂ３５を設ける。【選択図】図５
2020159175.tif 000002
【特許請求の範囲】
【請求項１】
バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉じ部と可動アゴ部側閉じ部とによって閉じてアタッチメントを取付ける建設機械のアタッチメント取付け冶具であって、
前記固定アゴ部側閉じ部と前記可動アゴ部側閉じ部は、それぞれ、前記固定アゴ部と前記可動アゴ部に回動可能に支持されており、
前記固定アゴ部側閉じ部は、前記固定アゴ部側ピン収容部に前記固定アゴ部側連結ピンが収容された際、前記固定アゴ部の固定アゴ部側ピン挟持部との間で前記固定アゴ部側連結ピンを挟持する固定閉じ部側ピン挟持部が設けられていると共に、前記固定アゴ部側連結ピンが前記固定アゴ部側ピン収容部に収容されていないときに当接した場合、当該固定アゴ部側閉じ部を開くように回動させ、前記固定アゴ部側連結ピンが前記固定アゴ部側ピン収容部に収容されるように案内する固定閉じ部側連結ピン案内面が設けられている一方、
前記可動アゴ部側閉じ部は、前記可動アゴ部側ピン収容部に前記可動アゴ部側連結ピンが収容された際、前記可動アゴ部の可動アゴ部側挟持部との間で前記可動アゴ部側連結ピンを挟持する可動閉じ部側ピン挟持部が設けられていると共に、前記可動アゴ部側連結ピンが前記可動アゴ部側ピン収容部に収容されていないときに当接した場合、当該可動アゴ部側閉じ部を開くように回動させ、前記可動アゴ部側連結ピンが前記可動アゴ部側ピン収容部に収容されるように案内する可動閉じ部側ピン案内面が設けられていることを特徴とする建設機械のアタッチメント取付け冶具。
【請求項２】
請求項１記載の建設機械のアタッチメント取付け冶具において、
前記固定アゴ部には、被係合部が設けられている一方、前記可動アゴ部側閉じ部には、前記固定アゴ部の被係合部に係合する係合部が設けられており、前記固定アゴ部と前記可動アゴ部とが最も閉じた場合には前記固定アゴ部の被係合部と前記可動アゴ部側閉じ部の係合部とが係合して前記固定アゴ部に対し前記可動アゴ部が勝手に離間しない閉じた状態を維持し、
前記可動アゴ部側連結ピンを前記可動アゴ部側ピン収容部に収容させるよう当該可動アゴ部側閉じ部が回動した場合、係合していた前記固定アゴ部の被係合部と前記可動アゴ部側閉じ部の係合部とが外れて前記固定アゴ部に対し前記可動アゴ部が開くように構成されていることを特徴とする建設機械のアタッチメント取付け冶具。
【請求項３】
請求項１または請求項２に記載の建設機械のアタッチメント取付け冶具において、
前記可動アゴ部側閉じ部には、前記可動閉じ部側ピン案内面まで前記可動アゴ部側連結ピンを案内する可動アゴ部側連結ピン補助案内板が設けられていることを特徴とする建設機械のアタッチメント取付け冶具。
【請求項４】
請求項１〜請求項３のいずれか一の請求項に記載の建設機械のアタッチメント取付け冶具において、
前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、
前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止するアゴ同士閉じ過ぎ防止部と、
を有することを特徴とする建設機械のアタッチメント取付け冶具。
【請求項５】
請求項１〜請求項４記載の建設機械のアタッチメント取付け冶具を備えたことを特徴とする建設機械。
【発明の詳細な説明】
【技術分野】
【０００１】
本発明は、パワーショベル等の建設機械のアタッチメント取付け冶具および建設機械に関する。
【背景技術】
【０００２】
従来より、パワーショベル等の建設機械のアタッチメント取付け冶具として、バケット等のアタッチメントに所定間隔を空けて設けられた２本の連結ピンにそれぞれ一端開放の固定アゴ部と可動アゴ部とを係合させた後、規制材とコイルばね等により固定アゴ部から可動アゴ部が離れるように付勢する機構や（例えば、特許文献１参照。）、ネジ等を駆動させることによって可動アゴ部を固定アゴ部から離れるように付勢したり（例えば、特許文献２参照。）、さらには専用のバケットシリンダによって可動アゴ部を固定アゴ部から離れるように付勢する機構（例えば、特許文献３参照。）や、可動アゴ部と固定アゴ部のピン収容部を固定アゴ部側閉じ部と可動アゴ部側閉じ部とによって閉じるように構成したものも提案されている（例えば、特許文献４，５参照。）。
【先行技術文献】
【特許文献】
【０００３】
【特許文献１】特開２０１１−２３１５０５号公報
【特許文献２】実用新案登録第３１３４６９６号公報
【特許文献３】特開平２００６−１６９８８６号公報
【特許文献４】特許第６２１１３２４号公報
【特許文献５】特許第６４３０６７１号公報
【発明の概要】
【発明が解決しようとする課題】
【０００４】
しかし、上述の特許文献１〜５に開示された建設機械のアタッチメント取付け冶具では、バケット等の各種アタッチメントに所定間隔を空けて設けられた固定アゴ部側連結ピンと可動アゴ部側連結ピンとを、それぞれ、建設機械の作動アーム先端部に取り付けられた固定アゴ部の固定アゴ部側ピン収容部と可動アゴ部の可動アゴ部側ピン収容部に移動させた後、作業員が固定アゴ部側閉じ部と可動アゴ部側閉じ部とをそれぞれ手動で回動させて固定アゴ部側連結ピンと可動アゴ部側連結ピンとを挟持する作業が必要であり、アタッチメント取付け作業が面倒であるという問題がある。
【０００５】
特に、最近は人手不足の問題もあり、アタッチメント取付け作業を簡単に実行できる建設機械のアタッチメント取付け冶具が要求されている。
【０００６】
また、上述の特許文献１〜３に記載の建設機械のアタッチメント取付け冶具では、一端開放の固定アゴ部と可動アゴ部にそれぞれ連結ピンを係合させた後、規制材とコイルばねや、ネジまたはバケットシリンダ等によって固定アゴ部から可動アゴ部が離れるように付勢する規制機構が必要であるため、その分だけコストが増大するという問題もある。
【０００７】
そこで、本発明はこのような問題点に着目してなされたもので、作業員が固定アゴ部側閉じ部と可動アゴ部側閉じ部とを手動で操作せずにアタッチメントに設けられた固定アゴ部側連結ピンと可動アゴ部側連結ピンを挟持することができる建設機械のアタッチメント取付け冶具および建設機械を提供することを目的とする。
【課題を解決するための手段】
【０００８】
前記課題を解決するため、本発明に係る建設機械のアタッチメント取付け冶具は、バケット等の各種アタッチメントに所定間隔を空けて設けられた固定アゴ部側連結ピンと可動アゴ部側連結ピンそれぞれをパワーショベル等の建設機械の作動アーム先端部に取り付けられた固定アゴ部の固定アゴ部側ピン収容部と、前記建設機械の作動アームに設けられたバケットシリンダから伸縮するピストン先端部に可動アゴ連結リンクを介して取り付けられた可動アゴ部の可動アゴ部側ピン収容部とに収容させた後、前記固定アゴ部側ピン収容部の開口部と前記可動アゴ部側ピン収容部の開口部とをそれぞれ固定アゴ部側閉じ部と可動アゴ部側閉じ部とによって閉じてアタッチメントを取付ける建設機械のアタッチメント取付け冶具であって、前記固定アゴ部側閉じ部と前記可動アゴ部側閉じ部は、それぞれ、前記固定アゴ部と前記可動アゴ部に回動可能に支持されており、前記固定アゴ部側閉じ部は、前記固定アゴ部側ピン収容部に前記固定アゴ部側連結ピンが収容された際、前記固定アゴ部の固定アゴ部側ピン挟持部との間で前記固定アゴ部側連結ピンを挟持する固定閉じ部側ピン挟持部が設けられていると共に、前記固定アゴ部側連結ピンが前記固定アゴ部側ピン収容部に収容されていないときに当接した場合、当該固定アゴ部側閉じ部を開くように回動させ、前記固定アゴ部側連結ピンが前記固定アゴ部側ピン収容部に収容されるように案内する固定閉じ部側連結ピン案内面が設けられている一方、前記可動アゴ部側閉じ部は、前記可動アゴ部側ピン収容部に前記可動アゴ部側連結ピンが収容された際、前記可動アゴ部の可動アゴ部側挟持部との間で前記可動アゴ部側連結ピンを挟持する可動閉じ部側ピン挟持部が設けられていると共に、前記可動アゴ部側連結ピンが前記可動アゴ部側ピン収容部に収容されていないときに当接した場合、当該可動アゴ部側閉じ部を開くように回動させ、前記可動アゴ部側連結ピンが前記可動アゴ部側ピン収容部に収容されるように案内する可動閉じ部側ピン案内面が設けられていることを特徴とする。
また、本発明に係る建設機械のアタッチメント取付け冶具では、前記固定アゴ部には、被係合部が設けられている一方、前記可動アゴ部側閉じ部には、前記固定アゴ部の被係合部に係合する係合部が設けられており、前記固定アゴ部と前記可動アゴ部とが最も閉じた場合には前記固定アゴ部の被係合部と前記可動アゴ部側閉じ部の係合部とが係合して前記固定アゴ部に対し前記可動アゴ部が勝手に離間しない閉じた状態を維持し、前記可動アゴ部側連結ピンを前記可動アゴ部側ピン収容部に収容させるよう当該可動アゴ部側閉じ部が回動した場合、係合していた前記固定アゴ部の被係合部と前記可動アゴ部側閉じ部の係合部とが外れて前記固定アゴ部に対し前記可動アゴ部が開くように構成されていることも特徴とする。
また、本発明に係る建設機械のアタッチメント取付け冶具では、前記可動アゴ部側閉じ部には、前記可動閉じ部側ピン案内面まで前記可動アゴ部側連結ピンを案内する可動アゴ部側連結ピン補助案内板が設けられていることも特徴とする。
また、本発明に係る建設機械のアタッチメント取付け冶具では、前記可動アゴ部の可動アゴ部側ピン収容部の開口部外側に設けられ、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも当接して当該可動アゴ部側連結ピンが前記可動アゴ部側ピン収容部に収容されるまで案内する可動アゴ部側連結ピン案内面と、前記固定アゴ部の固定アゴ部側ピン収容部に前記固定アゴ部側連結ピンを収容後、前記建設機械の油圧シリンダ等の作動により前記可動アゴ部を前記可動アゴ部側連結ピンに近付けて当該可動アゴ部の可動アゴ部側ピン収容部に前記可動アゴ部側連結ピンを収容させる際、前記建設機械で取り付ける前記各種アタッチメントの内、前記固定アゴ部側連結ピンと前記可動アゴ部側連結ピンとのピン間隔が最小の可動アゴ部側連結ピンおよび最大の可動アゴ部側連結ピンでも、前記可動アゴ部側連結ピンが前記可動アゴ部側連結ピン案内面に当接するように前記固定アゴ部に対する前記可動アゴ部の閉じ過ぎを防止するアゴ同士閉じ過ぎ防止部とを有することも特徴とする。
また、本発明に係る建設機械は、上述のいずれかの建設機械のバケット取付け構造を備えたことを特徴とする。
【発明の効果】
【０００９】
本発明に係る建設機械のアタッチメント取付け冶具および建設機械では、固定アゴ部側閉じ部と可動アゴ部側閉じ部は、それぞれ、固定アゴ部と可動アゴ部に回動可能に支持されていると共に、アタッチメントを取付ける前は閉じた状態になるように構成されており、固定アゴ部側閉じ部は、固定アゴ部側ピン収容部に固定アゴ部側連結ピンが収容された際、固定アゴ部の固定アゴ部側ピン挟持部との間で固定アゴ部側連結ピンを挟持する固定閉じ部側ピン挟持部が設けられていると共に、固定アゴ部側連結ピンが固定アゴ部側ピン収容部に収容されていないときに当接した場合、当該固定アゴ部側閉じ部を開くように回動させた後、閉じるように回動させ固定アゴ部側連結ピンが固定アゴ部側ピン収容部に収容され固定アゴ部側ピン挟持部と固定閉じ部側ピン挟持部とによって挟持されるように案内する固定閉じ部側連結ピン案内面が設けられている一方、可動アゴ部側閉じ部は、可動アゴ部側ピン収容部に可動アゴ部側連結ピンが収容された際、可動アゴ部の可動アゴ部側挟持部との間で可動アゴ部側連結ピンを挟持する可動閉じ部側ピン挟持部が設けられていると共に、可動アゴ部側連結ピンが可動アゴ部側ピン収容部に収容されていないときに当接した場合、当該可動アゴ部側閉じ部を開くように回動させた後、閉じるように回動させ可動アゴ部側連結ピンが可動アゴ部側ピン収容部に収容され可動アゴ部側ピン挟持部と可動閉じ部側ピン挟持部とによって挟持されるように案内する可動閉じ部側ピン案内面が設けられている。
そのため、本発明に係る建設機械のアタッチメント取付け冶具および建設機械によれば、アタッチメント側に所定間隔を空けて設けられた固定アゴ部側連結ピンと可動アゴ部側連結ピンとを、それぞれ、建設機械の作動アーム側に設けた固定アゴ部の固定アゴ部側ピン収容部と可動アゴ部の可動アゴ部側ピン収容部に移動させて固定アゴ部側閉じ部と可動アゴ部側閉じ部を閉じて挟持する際、作業員が固定アゴ部側閉じ部と可動アゴ部側閉じ部とを手動で操作せずに挟持することができる。
【図面の簡単な説明】
【００１０】
【図１】本発明に係る実施形態の建設機械のアタッチメント取付け冶具を介して作動アームにバケットを取付ける際の状態を示す正面図である。
【図２】本発明に係る実施形態の建設機械のアタッチメント取付け冶具の斜視図である。
【図３】本発明に係る実施形態の建設機械のアタッチメント取付け冶具の別の斜視図である。
【図４】本発明に係る実施形態の建設機械のアタッチメント取付け冶具において可動アゴ部側閉じ部の係合部が固定アゴ部の被係合部に係合している状態を示す一部切欠正面図である。
【図５】本発明に係る実施形態の建設機械のアタッチメント取付け冶具において可動アゴ部側閉じ部の係合部と固定アゴ部の被係合部との係合状態が解除された状態を示す一部切欠正面図である。
【図６】本発明に係る実施形態の建設機械のアタッチメント取付け冶具の別の構成例を示す斜視図である。
【図７】本発明に係る実施形態の建設機械のアタッチメント取付け冶具のさらに別の構成例を示す斜視図である。
【発明を実施するための形態】
【００１１】
以下、本発明に係る実施の形態の建設機械とそのアタッチメント取付け冶具および建設機械について、図面を参照しながら説明する。ただし、下記に説明する実施の形態は、あくまで、本発明の一例であり、本発明は、下記に説明する実施の形態に限定されるものではなく、本発明の技術的思想の範囲内で適宜変更可能である。
【００１２】
本発明に係る実施形態の建設機械のアタッチメント取付け冶具１は、図１に示すように、アタッチメントの一つであるバケット２の後部部に所定間隔を空けて設けられた固定アゴ部側連結ピン２ａと可動アゴ部側連結ピン２ｂとを、それぞれパワーショベル等の建設機械（図示省略。）の作動アーム３ａ先端部に取り付けられた固定アゴ部１ａと、バケットシリンダ３ｂから伸縮するピストン３ｂ１先端部に可動アゴ連結リンク３ｃを介して取り付けられた可動アゴ部１ｂとを係合させてバケットやハンマー、破砕機（クラッシャー）、スケルトンバケット（ふるいバケット）等の各種のアタッチメント２を取付けるものである。
【００１３】
尚、図１において、３ｄは、作動アーム３ａに基端部が回動可能に連結される一方、バケットシリンダ３ｂから伸縮するピストン３ｂ１の先端部と可動アゴ連結リンク３ｃの基端部に先端部が回動可能に連結されたアームリンクである。また、アタッチメント取付け冶具１以外のアタッチメント２や、作動アーム３ａ、バケットシリンダ３ｂ、可動アゴ連結リンク３ｃ、アームリンク３ｄ等の構成や連結構造は、従来のものと同じで周知である。
【００１４】
＜アタッチメント取付け冶具１の構成＞
本発明に係る実施形態のアタッチメント取付け冶具１は、図１〜図５に示すように、固定アゴ部１ａと、可動アゴ部１ｂとがアゴ部同士回動軸１ｃを介して回動可能に構成され、固定アゴ部１ａは固定アゴ部側連結ピン２ａに連結する一方、可動アゴ部１ｂは可動アゴ部側連結ピン２ｂに連結するように構成されている。尚、図２および図３に示すアタッチメント取付け冶具１では、アゴ部同士回動軸１ｃや固定アゴ側回動軸３ａ１、可動アゴ側回動軸３ｃ１等は省略している。
【００１５】
（固定アゴ部１ａ）
固定アゴ部１ａは、図１や図４および図５に示すように建設機械の作動アーム３ａの先端部に固定アゴ側回動軸３ａ１を介して固定側連結板１ａ１が回動可能に連結されており、その固定側連結板１ａ１の下端部には、固定側水平基板１ａ２を介して固定アゴ部側フック板１ａ３が設けられている。そのため、固定アゴ部１ａには、図２および図３等に示すように、アゴ部同士回動軸１ｃを支持する円環状のアゴ部同士回動軸受部１ａ４，１ａ４が設けられていると共に、固定アゴ側回動軸３ａ１を支持する円環状の固定アゴ側回動軸受部１ａ５，１ａ５が設けられており、アゴ部同士回動軸受部１ａ４，１ａ４および固定アゴ側回動軸受部１ａ５，１ａ５には、それぞれ、アゴ部同士回動軸１ｃと固定アゴ側回動軸３ａ１とが抜けないように抜け止めピン(図示せず。)が挿入されるよう上下方向に貫通した貫通孔を設けている。
【００１６】
固定アゴ部側フック板１ａ３には、図４や図５等に示すように、固定アゴ部側連結ピン２ａに係合する一端開放でかつ固定アゴ部側連結ピン２ａの外周面に応じたほぼ断面半円弧状の固定アゴ部側ピン収容部１ａ３０を形成する固定アゴ部側ピン挟持部１ａ３１と、固定アゴ部側フック板１ａ３に固定アゴ部側閉じ部用回動軸１ａ３２を介して回動可能に設けられ、固定アゴ部側連結ピン２ａを固定アゴ部側ピン収容部１ａ３０に収容させた後、その固定アゴ部側ピン収容部１ａ３０の開口側を閉じて固定アゴ部側連結ピン２ａを挟持し脱落を防止する固定アゴ部側閉じ部１ａ３３と、図５に示すように固定アゴ部側閉じ部１ａ３３が固定アゴ部側ピン収容部１ａ３０の開口側を閉じて固定アゴ部側連結ピン２ａを挟持した後、固定アゴ部側閉じ部１ａ３３が勝手に回動しないように抜差し式ロックピン(図示せず。)が挿入される固定アゴ部側ロックピン挿入孔１ａ３４と、バケット等の各種アタッチメント２に連結する前に固定アゴ部１ａと可動アゴ部１ｂとが離間する（開く）ことを防止するため可動アゴ部側閉じ部１ｂ３３に設けた係合部１ｂ３５に係合する被係合部１ａ３５等を備えている。
【００１７】
固定アゴ部側閉じ部１ａ３３は、固定アゴ部側連結ピン２ａの外周面に応じたほぼ断面半円弧状に形成され、閉じた際、固定アゴ部側ピン挟持部１ａ３１との間で固定アゴ部側連結ピン２ａを挟持する固定閉じ部側ピン挟持部１ａ３３ａが設けられていると共に、固定アゴ部側連結ピン２ａが固定アゴ部側ピン収容部１ａ３０に収容して挟持する前に、固定アゴ部側連結ピン２ａが当接した場合、固定アゴ部側閉じ部１ａ３３を反時計回り（β方向）に回動させて固定アゴ部側連結ピン２ａを固定アゴ部側ピン収容部１ａ３０まで案内する固定閉じ部側連結ピン案内面１ａ３３ｂが設けられている。
【００１８】
ここで、固定アゴ部側閉じ部用回動軸１ａ３２は、図４や図５等に示すように固定アゴ部側閉じ部１ａ３３の重心よりも図４や図５上左側に偏心して設けられており、固定アゴ部側ピン収容部１ａ３０に固定アゴ部側連結ピン２ａが収容されていない場合、固定アゴ部側閉じ部１ａ３３は、固定アゴ部側閉じ部１ａ３３の重量によって固定アゴ部側閉じ部用回動軸１ａ３２を中心に図４に示す状態から時計回り(α方向)に回動するように構成されている。そのため、固定アゴ部側フック板１ａ３下端部には、固定アゴ部側閉じ部１ａ３３が図４に示す状態以上、時計回り(α方向)に回動しないように固定アゴ部側閉じ部１ａ３３下端部に当接して固定アゴ部側閉じ部１ａ３３の回動し過ぎを防止する固定アゴ部側閉じ部回動ストッパー１ａ３６がさらに設けられている。尚、固定アゴ部側閉じ部１ａ３３は、固定アゴ部側閉じ部用回動軸１ａ３２の偏心およびその重量ではなく、固定アゴ部側ピン収容部１ａ３０に向かおうとする固定アゴ部側連結ピン２ａが固定アゴ部側閉じ部１ａ３３における固定閉じ部側ピン挟持部１ａ３３ａと対向する側を押すことによって時計回り(α方向)に回動するように構成しても良い。
【００１９】
被係合部１ａ３５は、所定幅を有する鋼板を図４や図５等に示すように正面視釣り針形状に折り曲げて形成してその先端部が弾性変形するように構成されており、可動アゴ部側閉じ部１ｂ３３に設けた係合部１ｂ３５が確実かつ弾力的に係合するように構成されている。
【００２０】
つまり、図４に示すように固定アゴ部１ａと可動アゴ部１ｂとが最も閉じた状態になり、可動アゴ部側閉じ部１ｂ３３が反時計回り（β方向）に回転して可動アゴ部側閉じ部１ｂ３３に設けた係合部１ｂ３５が固定アゴ部１ａの被係合部１ａ３５に当接すると、被係合部１ａ３５が弾性変形して可動アゴ部側閉じ部１ｂ３３に設けた係合部１ｂ３５が固定アゴ部１ａの被係合部１ａ３５に係合して固定アゴ部１ａと可動アゴ部１ｂとが最も閉じた状態が維持される一方、その状態で可動アゴ部側閉じ部１ｂ３３が時計回り（α方向）に回転すると、可動アゴ部側閉じ部１ｂ３３に設けた係合部１ｂ３５が固定アゴ部１ａの被係合部１ａ３５から外れて、可動アゴ部側閉じ部１ｂ３３の係合部１ｂ３５とアゴ部１ａの被係合部１ａ３５とが非係合状態となり、固定アゴ部１ａに対し可動アゴ部１ｂが開くことになる。
【００２１】
（可動アゴ部１ｂ）
可動アゴ部１ｂは、図１や図４および図５に示すようにバケットシリンダ３ｂから伸縮するピストン３ｂ１先端部に可動アゴ連結リンク３ｃを介して取り付けられ、固定アゴ部１ａに対しアゴ部同士回動軸１ｃを中心に回動可能に設けられたもので、図５等に示すように可動アゴ連結リンク３ｃの先端部に可動アゴ側回動軸３ｃ１を介して可動側連結部１ｂ１が回動可能に連結されており、その可動側連結部１ｂ１の下端部には、可動側水平基板１ｂ２を介して可動アゴ部側フック板１ｂ３が設けられている。
【００２２】
そのため、可動アゴ部１ｂには、図４および図５等に示すように、アゴ部同士回動軸１ｃが挿入されるアゴ部同士回動軸孔部１ｂ４，１ｂ４が設けられていると共に、可動アゴ側回動軸３ｃ１を支持する円環状の可動アゴ側回動軸受部１ｂ５，１ｂ５が設けられており、可動アゴ側回動軸受部１ｂ５，１ｂ５には、それぞれ、可動アゴ側回動軸３ｃ１が抜けないように抜け止めピン(図示せず。)が挿入されるよう上下方向に貫通する貫通孔を設けている。
【００２３】
可動アゴ部側フック板１ｂ３には、図４や図５等に示すように、可動アゴ部側連結ピン２ｂを挟持する一端開放でかつ可動アゴ部側連結ピン２ｂの外周面に応じたほぼ断面半円弧状の可動アゴ部側ピン収容部１ｂ３０を形成する可動アゴ部側ピン挟持部１ｂ３１と、可動アゴ部側フック板１ｂ３に可動アゴ部側閉じ部用回動軸１ｂ３２を介して回動可能に設けられ、可動アゴ部側連結ピン２ｂを可動アゴ部側ピン収容部１ｂ３０に収容させた後、その可動アゴ部側ピン収容部１ｂ３０の開口側を閉じて可動アゴ部側連結ピン２ｂを挟持し脱落を防止する可動アゴ部側閉じ部１ｂ３３と、図５に示すように可動アゴ部側閉じ部１ｂ３３が可動アゴ部側ピン収容部１ｂ３０の開口側を閉じて可動アゴ部側連結ピン２ｂを挟持した後、可動アゴ部側閉じ部１ｂ３３が勝手に回動しないように抜差し式ロックピン(図示せず。)が挿入されるロックピン挿入孔１ｂ３４等を備えている。
【００２４】
可動アゴ部側閉じ部１ｂ３３は、可動アゴ部側連結ピン２ｂの外周面に応じたほぼ断面半円弧状に形成され、閉じた際、可動アゴ部側ピン挟持部１ｂ３１との間で可動アゴ部側連結ピン２ｂを挟持する可動閉じ部側ピン挟持部１ｂ３３ａが設けられていると共に、可動アゴ部側連結ピン２ｂが可動アゴ部側ピン収容部１ｂ３０に収容して挟持する前に、可動アゴ部側連結ピン２ｂが当接した場合、可動アゴ部側閉じ部１ｂ３３を反時計回り（β方向）に回動させて可動アゴ部側連結ピン２ｂを可動アゴ部側ピン収容部１ｂ３０まで案内する可動閉じ部側ピン案内面１ｂ３３ｂが設けられている。
【００２５】
ここで、可動アゴ部側閉じ部用回動軸１ｂ３２は、図４や図５等に示すように可動アゴ部側閉じ部１ｂ３３の重心よりも図５上右側に偏心して設けられており、可動アゴ部側ピン収容部１ｂ３０に可動アゴ部側連結ピン２ｂが収容されていない場合、可動アゴ部側閉じ部１ｂ３３は、可動アゴ部側閉じ部１ｂ３３の重量によって可動アゴ部側閉じ部用回動軸１ｂ３２を中心に図５に示す状態から反時計回り(β方向)に回動するように構成されている。そのため、可動アゴ部側フック板１ｂ３下端部には、可動アゴ部側閉じ部１ｂ３３が図５に示す状態以上、反時計回り(β方向)に回動しないように可動アゴ部側閉じ部１ｂ３３下端部に当接して可動アゴ部側閉じ部１ｂ３３の回動し過ぎを防止する可動アゴ部側閉じ部回動ストッパー１ｂ３６がさらに設けられている。尚、可動アゴ部側閉じ部１ｂ３３は、可動アゴ部側閉じ部用回動軸１ｂ３２の偏心およびその重量ではなく、可動アゴ部側ピン収容部１ｂ３０に向かおうとする可動アゴ部側連結ピン２ｂが可動アゴ部側閉じ部１ｂ３３における可動閉じ部側ピン挟持部１ｂ３３ａと対向する側を押すことによって反時計回り(β方向)に回動するように構成しても良い。
【００２６】
また、可動アゴ部側閉じ部１ｂ３３における固定アゴ部１ａ側の側面には、固定アゴ部１ａの被係合部１ａ３５に係合する係合部１ｂ３５が設けられている。
【００２７】
可動アゴ部側閉じ部１ｂ３３の係合部１ｂ３５は、固定アゴ部１ａと可動アゴ部１ｂとが最も閉じた場合には固定アゴ部１ａの被係合部１ａ３５と可動アゴ部側閉じ部１ｂ３３の係合部１ｂ３５とが係合して固定アゴ部１ａに対し可動アゴ部１ｂが勝手に離間しない閉じた状態を維持し、アタッチメント２を装着するため可動アゴ部側連結ピン２ｂが可動閉じ部側ピン案内面１ｂ３３ｂや後述する可動アゴ部側連結ピン補助案内板１ｂ３３ｃに当接すると、可動アゴ部側閉じ部１ｂ３３が図４において時計回り（α方向に）回動して、係合していた固定アゴ部１ａの被係合部１ａ３５と可動アゴ部側閉じ部１ｂ３３の係合部１ｂ３５とが外れ、固定アゴ部１ａに対し可動アゴ部１ｂが開き、可動アゴ部側連結ピン２ｂが可動アゴ部側ピン収容部１ｂ３０に収容され可動アゴ部側ピン挟持部１ｂ３１と可動閉じ部側ピン挟持部１ｂ３３ａとの間で挟持されるように構成されている。つまり、可動閉じ部側ピン案内面１ｂ３３ｂおよび可動アゴ部側連結ピン補助案内板１ｂ３３ｃは、可動アゴ部側連結ピン２ｂが当接することによって固定アゴ部１ａの被係合部１ａ３５と可動アゴ部側閉じ部１ｂ３３の係合部１ｂ３５との係合状態を解除するスイッチとして機能する。
【００２８】
係合部１ｂ３５は、図３等に示すように平面視、Ｌ字形状に形成されており、図４に示すように固定アゴ部１ａと可動アゴ部１ｂとが最も閉じた状態で可動アゴ部側閉じ部１ｂ３３が反時計回り（β方向）に回転して可動アゴ部側閉じ部１ｂ３３に設けた係合部１ｂ３５が固定アゴ部１ａの被係合部１ａ３５に当接すれば、被係合部１ａ３５が弾性変形して可動アゴ部側閉じ部１ｂ３３に設けた係合部１ｂ３５が固定アゴ部１ａの被係合部１ａ３５に係合する一方、その状態で可動アゴ部側閉じ部１ｂ３３が時計回り（α方向）に回転すれば、可動アゴ部側閉じ部１ｂ３３に設けた係合部１ｂ３５が固定アゴ部１ａの被係合部１ａ３５から外れるように構成されている。
【００２９】
また、可動アゴ部１ｂには、特許文献５（特許第６４３０６７１号公報）に詳細に開示した可動アゴ部側連結ピン案内面１ｂ３９を設けているため、可動アゴ部側閉じ部１ｂ３３には、可動アゴ部側連結ピン案内面１ｂ３９よりも先に可動アゴ部側連結ピン２ｂが当接して可動アゴ部側閉じ部１ｂ３３を上述したように図４において時計回り（α方向に）回動させ、係合していた固定アゴ部１ａの被係合部１ａ３５と可動アゴ部側閉じ部１ｂ３３の係合部１ｂ３５とを外して固定アゴ部１ａに対し可動アゴ部１ｂを開かせると共に、可動アゴ部側連結ピン２ｂを可動閉じ部側ピン案内面１ｂ３３ｂまで確実に案内できるように可動アゴ部側連結ピン案内面１ｂ３９先端まで延びる可動アゴ部側連結ピン補助案内板１ｂ３３ｃを取り付けている。
【００３０】
＜建設機械のアタッチメント取付け冶具１を使用したアタッチメント２の取付け方法＞
次に、以上のように構成された実施形態の建設機械のアタッチメント取付け冶具１を使用して、アタッチメント２の固定アゴ部側連結ピン２ａおよび可動アゴ部側連結ピン２ｂと連結するアタッチメント２を取付け方法について説明する。
【００３１】
まず、アタッチメント取付け冶具１に固定アゴ部側連結ピン２ａおよび可動アゴ部側連結ピン２ｂを連結していない状態では、図４に示すように、可動アゴ部側閉じ部１ｂ３３に設けた係合部１ｂ３５が固定アゴ部１ａの被係合部１ａ３５に係合し、固定アゴ部１ａに対し可動アゴ部１ｂは閉じた状態が維持されている。
【００３２】
そのため、後述するように固定アゴ部側連結ピン２ａと可動アゴ部側連結ピン２ｂ間のピン間隔が例えば、３２０ｍｍ程度の最小のアタッチメント２の場合でも、固定アゴ部１ａに対する可動アゴ部１ｂの開き過ぎが防止され、固定アゴ部側連結ピン２ａと可動アゴ部側連結ピン２ｂとの間に固定アゴ部側フック板１ａ３先端部および可動アゴ部側フック板１ｂ３先端部を挿入して、固定アゴ部側連結ピン２ａは固定アゴ部側閉じ部１ａ３３の固定閉じ部側連結ピン案内面１ａ３３ｂに当接させることができる一方、可動アゴ部側連結ピン２ｂは可動アゴ部側閉じ部１ｂ３３の可動アゴ部側連結ピン補助案内板１ｂ３３ｃまたは可動閉じ部側連結ピン案内面１ｂ３３ｂに当接させることができる。
【００３３】
そして、作業車がパワーショベル等の建設機械（図示省略。）を操作し、可動アゴ部側閉じ部１ｂ３３の係合部１ｂ３５が固定アゴ部１ａの被係合部１ａ３５に係合し、かつ、固定アゴ部１ａと可動アゴ部１ｂとが最も閉じた状態で固定アゴ部側連結ピン２ａと可動アゴ部側連結ピン２ｂとの間に固定アゴ部側フック板１ａ３先端部および可動アゴ部側フック板１ｂ３先端部を挿入し、固定アゴ部側連結ピン２ａは固定アゴ部側閉じ部１ａ３３の固定閉じ部側連結ピン案内面１ａ３３ｂに当接させる一方、可動アゴ部側連結ピン２ｂは可動アゴ部側閉じ部１ｂ３３の可動アゴ部側連結ピン補助案内板１ｂ３３ｃまたは可動閉じ部側連結ピン案内面１ｂ３３ｂに当接させる。
【００３４】
固定アゴ部側連結ピン２ａが固定閉じ部側連結ピン案内面１ａ３３ｂに当接すると、固定アゴ部側閉じ部１ａ３３は固定アゴ部側閉じ部用回動軸１ａ３２を中心に反時計回り（β方向）に回動して固定アゴ部側連結ピン２ａを定アゴ部側ピン収容部１ａ３０の方向へ案内する。
【００３５】
そして固定アゴ部側連結ピン２ａが固定閉じ部側連結ピン案内面１ａ３３ｂと固定閉じ部側ピン挟持部１ａ３３ａとの境界部分である角部を超えると、固定アゴ部側閉じ部１ａ３３はその重量または固定アゴ部側連結ピン２ａが固定アゴ部側閉じ部１ａ３３自体を押すことによって固定アゴ部側閉じ部用回動軸１ａ３２を中心に時計回り（α方向）に回動し、固定アゴ部側フック板１ａ３の固定アゴ部側ピン挟持部１ａ３１と固定アゴ部側閉じ部１ａ３３の固定閉じ部側ピン挟持部１ａ３３ａとの間で固定アゴ部側連結ピン２ａを自動的、すなわち作業者が手動で固定アゴ部側閉じ部１ａ３３を回動等させずに挟持できる。
【００３６】
固定アゴ部側フック板１ａ３の固定アゴ部側ピン挟持部１ａ３１と固定アゴ部側閉じ部１ａ３３の固定閉じ部側ピン挟持部１ａ３３ａとの間で固定アゴ部側連結ピン２ａを挟持した後、作業者は、固定アゴ部側閉じ部１ａ３３が勝手に回動しないよう固定アゴ部側ロックピン挿入孔１ａ３４に抜差し式ロックピン(図示せず。)を挿入する。
【００３７】
一方、可動アゴ部側連結ピン２ｂが可動アゴ部側閉じ部１ｂ３３の可動アゴ部側連結ピン補助案内板１ｂ３３ｃまたは可動閉じ部側連結ピン案内面１ｂ３３ｂに当接すると、図４に示すように可動アゴ部側閉じ部１ｂ３３が反時計回り（β方向）に回転し、可動閉じ部側ピン案内面１ｂ３３ｂまたは可動アゴ部側連結ピン補助案内板１ｂ３３ｃは固定アゴ部１ａの被係合部１ａ３５と可動アゴ部側閉じ部１ｂ３３の係合部１ｂ３５との係合状態を解除するスイッチとして機能するので、固定アゴ部１ａの被係合部１ａ３５に係合していた可動アゴ部側閉じ部１ｂ３３の係合部１ｂ３５が固定アゴ部１ａの被係合部１ａ３５から外れ、図５に示すように可動アゴ部側閉じ部１ｂ３３の係合部１ｂ３５とアゴ部１ａの被係合部１ａ３５とが非係合状態となり、固定アゴ部１ａに対し可動アゴ部１ｂが開くことになる。
【００３８】
すると、可動アゴ部側連結ピン２ｂは、可動アゴ部１ｂ３の可動アゴ部側連結ピン案内面１ｂ３９に当接し案内され、可動アゴ部側連結ピン２ｂはアタッチメント２に固定されているため移動しないものの可動アゴ部１ｂが固定アゴ部１ａに対し開くことにより相対的に可動アゴ部側ピン収容部１ｂ３０の方向へ移動し、可動閉じ部側ピン案内面１ｂ３３ｂに当接する。
【００３９】
尚、可動アゴ部１ｂ３の可動アゴ部側連結ピン案内面１ｂ３９による可動アゴ部側連結ピン２ｂの案内動作は、特許文献５（特許第６４３０６７１号公報）に詳細に開示されており、ここでは詳細な説明を省略するが、固定アゴ部側連結ピン２ａと可動アゴ部側連結ピン２ｂ間のピン間隔が例えば３２０ｍｍ程度の最小である小型バケット等のアタッチメント２の場合でも、ピン間隔が例えば５８０ｍｍ程度の巨大破砕機等のアタッチメント２の場合でも、可動アゴ部側連結ピン案内面１ｂ３９による可動アゴ部側連結ピン２ｂの案内動作によって固定アゴ部１ａに対する可動アゴ部１ｂの開き動作やその開き角度等を規制するネジや油圧シリンダ等の規制機構を設けることなく、かつ、作業員の手を煩わすことなく、建設機械の操作のみによって上記と同様に連結することができる。
【００４０】
そして可動アゴ部側連結ピン２ｂが可動閉じ部側ピン案内面１ｂ３３ｂに当接すると、さらに可動アゴ部側閉じ部１ｂ３３を時計周り（α方向）に回動させ、可動閉じ部側ピン案内面１ｂ３３ｂと可動閉じ部側ピン挟持部１ｂ３３ａとの境界部分である角部を超えると、可動アゴ部側閉じ部１ｂ３３はその重量または可動アゴ部側連結ピン２ｂが可動アゴ部側閉じ部１ｂ３３自体を押すことによって可動アゴ部側閉じ部用回動軸１ｂ３２を中心に反時計回り（β方向）に回動し、可動アゴ部側フック板１ｂ３の可動アゴ部側ピン挟持部１ｂ３１と可動アゴ部側閉じ部１ｂ３３の可動閉じ部側ピン挟持部１ｂ３３ａとの間で可動アゴ部側連結ピン２ｂを自動的、すなわち作業者が手動で可動アゴ部側閉じ部１ｂ３３を回動等させずに挟持できる。
【００４１】
可動アゴ部側フック板１ｂ３の固定アゴ部側ピン挟持部１ａ３１と可動アゴ部側閉じ部１ｂ３３の可動閉じ部側ピン挟持部１ｂ３３ａとの間で可動アゴ部側連結ピン２ｂを挟持した後、作業者は、可動アゴ部側閉じ部１ｂ３３が勝手に回動しないようロックピン挿入孔１ｂ３４に抜差し式ロックピン(図示せず。)を挿入する。
【００４２】
これで、この建設機械で取り付ける各種アタッチメント２の内、固定アゴ部側連結ピン２ａと可動アゴ部側連結ピン２ｂ間のピン間隔が例えば、３２０ｍｍ程度の最小のアタッチメント２の場合でも、可動アゴ部側閉じ部１ｂ３３に設けた係合部１ｂ３５が固定アゴ部１ａの被係合部１ａ３５に係合し可動アゴ部１ｂと固定アゴ部１ａが最も閉じた状態を維持しているので、作業員が可動アゴ部１ｂを押さえること等しなくてもアタッチメント２を装着することができる。
【００４３】
＜本実施形態の建設機械のアタッチメント取付け冶具１の主な効果＞
以上説明したように、本発明に係る実施形態の建設機械のアタッチメント取付け冶具１では、固定アゴ部側閉じ部１ａ３３と可動アゴ部側閉じ部１ｂ３３は、それぞれ、固定アゴ部１ａと可動アゴ部１ｂに回動可能に支持されており、固定アゴ部側閉じ部１ａ３３には、固定アゴ部側ピン収容部１ａ３０に固定アゴ部側連結ピン２ａが収容された際、固定アゴ部側フック板１ａ３の固定アゴ部側ピン挟持部１ａ３１との間で固定アゴ部側連結ピン２ａを挟持する固定閉じ部側ピン挟持部１ａ３３ａを設けると共に、固定アゴ部側連結ピン２ａが固定アゴ部側ピン収容部１ａ３０に収容されていないときに固定アゴ部側連結ピン２ａが当接した場合、開いて固定アゴ部側連結ピン２ａを固定アゴ部側ピン挟持部１ａ３１と固定閉じ部側ピン挟持部１ａ３３ａとの挟持状態まで案内する固定閉じ部側連結ピン案内面１ａ３３ｂを設ける一方、可動アゴ部側閉じ部１ｂ３３には、可動アゴ部側ピン収容部１ｂ３０に可動アゴ部側連結ピン２ｂが収容された際、可動アゴ部側フック板１ｂ３の可動アゴ部側ピン挟持部１ｂ３１との間で可動アゴ部側連結ピン２ｂを挟持する可動閉じ部側ピン挟持部１ｂ３５ａを設けると共に、可動アゴ部側連結ピン２ｂが可動アゴ部側ピン収容部１ｂ３０に収容されていないときに可動アゴ部側連結ピン２ｂが当接した場合、開いて可動アゴ部側連結ピン２ｂを可動閉じ部側ピン挟持部１ｂ３３ａと可動閉じ部側ピン挟持部１ｂ３５ａとの挟持状態まで案内する可動閉じ部側ピン案内面１ｂ３５ｂを設けている。
【００４４】
そのため、本発明に係る実施形態の建設機械のアタッチメント取付け冶具１および建設機械によれば、アタッチメント２側に所定間隔を空けて設けられた固定アゴ部側連結ピン２ａと可動アゴ部側連結ピン２ｂとを、それぞれ、建設機械の作動アーム３ａ側に設けた固定アゴ部１ａの固定アゴ部側ピン収容部１ａ３０と可動アゴ部１ｂの可動アゴ部側ピン収容部１ｂ３０に移動させて固定アゴ部側閉じ部１ａ３３と可動アゴ部側閉じ部１ｂ３３で挟持する際、作業員が固定アゴ部側閉じ部１ａ３３と可動アゴ部側閉じ部１ｂ３３とを手動で操作せずに挟持することができる。
【００４５】
特に、本発明に係る実施形態の建設機械のアタッチメント取付け冶具１では、固定アゴ部１ａには被係合部１ａ３５を設ける一方、可動アゴ部側閉じ部１ｂ３３には、固定アゴ部１ａの被係合部１ａ３５に係合する係合部１ｂ３５を設けており、固定アゴ部１ａと可動アゴ部１ｂとが最も閉じた場合には固定アゴ部１ａの被係合部１ａ３５と可動アゴ部側閉じ部１ｂ３３に設けた係合部１ｂ３５とが係合して固定アゴ部１ａに対し可動アゴ部１ｂが勝手に離間しない閉じた状態を維持し、可動アゴ部側連結ピン２ｂが可動アゴ部側連結ピン補助案内板１ｂ３３ｃまたは可動閉じ部側連結ピン案内面１ｂ３３ｂに当接して可動アゴ部側閉じ部１ｂ３３を時計回り（α方向）に回動した場合、係合していた固定アゴ部１ａの被係合部１ａ３５と可動アゴ部側閉じ部１ｂ３３の係合部１ｂ３５とが外れて、係合部１ｂ３５と係合部１ａ３５との係合状態が解除され、固定アゴ部１ａに対し可動アゴ部１ｂが開くように構成している。
【００４６】
そのため、本発明に係る実施形態の建設機械のアタッチメント取付け冶具１および建設機械によれば、固定アゴ部側連結ピン２ａと可動アゴ部側連結ピン２ｂ間のピン間隔が例えば、３２０ｍｍ程度の最小のアタッチメント２を装着する場合でも、可動アゴ部側閉じ部１ｂ３３に設けた係合部１ｂ３５が固定アゴ部１ａの被係合部１ａ３５に係合し可動アゴ部１ｂと固定アゴ部１ａが最も閉じた状態を維持しているので、作業員が可動アゴ部１ｂを押さえること等しなくてもアタッチメント２を装着することができる。
【００４７】
また、本発明に係る実施形態の建設機械のアタッチメント取付け冶具１では、可動アゴ部側閉じ部１ｂ３３には、可動アゴ部側フック板１ｂ３の可動アゴ部側連結ピン案内面１ａ３９先端まで延び、可動アゴ部側連結ピン２ｂを可動閉じ部側ピン案内面１ｂ３３ｂまで案内する可動アゴ部側連結ピン補助案内板１ｂ３３ｃを設けている。
【００４８】
そのため、本発明に係る実施形態の建設機械のアタッチメント取付け冶具１によれば、可動アゴ部側フック板１ｂ３に可動アゴ部側連結ピン案内面１ａ３９を設けた場合でも、可動アゴ部側連結ピン案内面１ａ３９先端まで延びる可動アゴ部側連結ピン補助案内板１ｂ３３ｃが可動アゴ部側連結ピン案内面１ａ３９よりも先に可動アゴ部側連結ピン２ｂに当接して可動アゴ部側閉じ部１ｂ３３を図４において時計回り（α方向に）回動させ、係合していた固定アゴ部１ａの被係合部１ａ３５と可動アゴ部側閉じ部１ｂ３３の係合部１ｂ３５とを外して固定アゴ部１ａに対し可動アゴ部１ｂを開かせると共に、可動アゴ部側連結ピン２ｂを可動閉じ部側ピン案内面１ｂ３３ｂまで確実に案内することが可能となり、作業員が可動アゴ部１ｂを押さえること等しなくてもアタッチメント２を確実かつ簡単に装着することができる。
【００４９】
また、本発明に係る実施形態の建設機械のアタッチメント取付け冶具１では、固定アゴ部１ａには、固定アゴ部側ピン挟持部１ａ３１との間で固定アゴ部側連結ピン２ａを挟持する状態以上に固定アゴ部側閉じ部１ａ３３の回動し過ぎを防止する固定アゴ部側閉じ部回動ストッパー１ａ３６が設けられている一方、可動アゴ部１ｂには、可動アゴ部側ピン収容部１ｂ３０との間で可動アゴ部側連結ピン２ｂを挟持する状態以上に可動アゴ部側閉じ部１ｂ３３の回動し過ぎを防止する可動アゴ部側閉じ部回動ストッパー１ｂ３６を設けている。
【００５０】
そのため、本発明に係る実施形態の建設機械のアタッチメント取付け冶具１および建設機械によれば、固定アゴ部側閉じ部１ａ３３および可動アゴ部側閉じ部１ｂ３３の閉じ過ぎを防止するので、固定アゴ部側連結ピン２ａと可動アゴ部側連結ピン２ｂとをそれぞれ固定閉じ部側連結ピン案内面１ａ３３ｂと可動閉じ部側ピン案内面１ｂ３５ｂとに確実に当接させて固定アゴ部側ピン収容部１ａ３０と可動アゴ部１ｂの可動アゴ部側ピン収容部１ｂ３０に移動させて確実に挟持することができる。
【００５１】
また、本発明に係る実施形態の建設機械のアタッチメント取付け冶具１では、特許文献５（特許第６４３０６７１号公報）に開示された建設機械のアタッチメント取付け冶具と同様に、可動アゴ部１ｂの可動アゴ部側ピン収容部１ｂ３０の開口部外側に設けられ、建設機械で取り付ける各種アタッチメント２の内、固定アゴ部側連結ピン２ａと可動アゴ部側連結ピン２ｂとのピン間隔が最小の可動アゴ部側連結ピン２ｂおよび最大の可動アゴ部側連結ピン２ｂでも当接して当該可動アゴ部側連結ピン２ｂが可動アゴ部側ピン収容部１ｂ３０に収容されるまで案内する可動アゴ部側連結ピン案内面１ａ３９と、固定アゴ部１ａの固定アゴ部側ピン収容部１ａ３０に固定アゴ部側連結ピン２ａを収容後、建設機械の油圧シリンダ等の作動により可動アゴ部１ｂを可動アゴ部側連結ピン２ｂに近付けて当該可動アゴ部１ｂの可動アゴ部側ピン収容部１ｂ３０に可動アゴ部側連結ピン２ｂを収容させる際、各種アタッチメント２の内、固定アゴ部側連結ピン２ａと可動アゴ部側連結ピン２ｂとのピン間隔が最小の可動アゴ部側連結ピン２ｂおよび最大の可動アゴ部側連結ピン２ｂでも、可動アゴ部側連結ピン２ｂが可動アゴ部側連結ピン案内面１ａ３９に当接するように固定アゴ部１ａに対する可動アゴ部１ｂの閉じ過ぎを防止するアゴ同士閉じ過ぎ防止部１ｄと、可動アゴ部１ｂが開き過ぎた際、アゴ同士閉じ過ぎ防止部１ｄに当接して固定アゴ部１ａに対し可動アゴ部１ｂの開き過ぎを防止するアゴ同士開き過ぎ防止部１ｅ等を有する。
【００５２】
そのため、本実施形態の建設機械のアタッチメント取付け冶具１では、固定アゴ部１ａに対する可動アゴ部１ｂの開き動作やその開き角度等を規制するネジや油圧シリンダ３ｂ等の規制機構が不要でコストを削減できる共に、固定アゴ部１ａと可動アゴ部１ｂから連結ピンが外れることを確実に防止でき、固定アゴ部１ａと可動アゴ部１ｂのピン収容部それぞれに連結ピンを収容することができる。
【００５３】
尚、上記実施形態の説明では、可動アゴ部側フック板１ｂ３に可動アゴ部側連結ピン案内面１ａ３９等を設けた特許文献５（特許第６４３０６７１号公報）の建設機械のアタッチメント取付け冶具をベースに説明したが、本発明は、可動アゴ部側フック板１ｂ３に可動アゴ部側連結ピン案内面１ａ３９を設けない建設機械のアタッチメント取付け冶具にも適用可能であり、この場合には固定アゴ部１ａ側と同様に可動アゴ部側連結ピン補助案内板１ｂ３３ｃを省略しても良い。
【００５４】
また、上記実施形態の説明では、固定アゴ部１ａに被係合部１ａ３５を設ける一方、可動アゴ部側閉じ部１ｂ３３に係合部１ｂ３５を設けて説明したが、本発明ではこれに限らず、固定アゴ部１ａ側に係合部１ａ３５を設ける一方、可動アゴ部側閉じ部１ｂ３３側に被係合部１ａ３５を設けても勿論良いし、係合部１ｂ３５および被係合部１ａ３５の形状も上記実施形態のものに限定されるものではなく、固定アゴ部１ａと可動アゴ部１ｂとが最も閉じた状態で係合状態を維持し、可動アゴ部側連結ピン２ｂが可動アゴ部側閉じ部１ｂ３３の可動アゴ部側連結ピン補助案内板１ｂ３３ｃまたは可動閉じ部側連結ピン案内面１ｂ３３ｂに当接して可動アゴ部側閉じ部１ｂ３３が回転した際に係合部１ｂ３５と被係合部１ａ３５との係合状態が解除される構成であれば十分であるため、係合部１ｂ３５および被係合部１ａ３５として強力な電磁石等も使用することもできる。
【００５５】
また、上記実施形態の説明では、固定アゴ部１ａ側にアゴ同士閉じ過ぎ防止部１ｄおよび固定アゴ部側閉じ部回動ストッパー１ａ３６を設ける一方、可動アゴ部１ｂ側にはアゴ同士開き過ぎ防止部１ｅおよび可動アゴ部側閉じ部回動ストッパー１ｂ３６を設けて説明したが、本発明では、アゴ同士閉じ過ぎ防止部１ｄおよび固定アゴ部側閉じ部回動ストッパー１ａ３６と、アゴ同士開き過ぎ防止部１ｅおよび可動アゴ部側閉じ部回動ストッパー１ｂ３６との形状や設置場所は上記実施形態のものに限定されず、例えば、固定アゴ部側閉じ部回動ストッパー１ａ３６を可動アゴ部側閉じ部回動ストッパー１ｂ３６のように立方体形状に形成したり、可動アゴ部側閉じ部回動ストッパー１ｂ３６を固定アゴ部側閉じ部回動ストッパー１ａ３６のように円柱形状に形成したりしても良いし、設置場所を変更しても良いし、アゴ同士閉じ過ぎ防止部１ｄやアゴ同士開き過ぎ防止部１ｅの設置位置を特許文献５（特許第６４３０６７１号公報）の建設機械のアタッチメント取付け冶具で説明したように他の設置位置に変 更しても良いし、これらアゴ同士閉じ過ぎ防止部１ｄおよび固定アゴ部側閉じ部回動ストッパー１ａ３６と、アゴ同士開き過ぎ防止部１ｅおよび可動アゴ部側閉じ部回動ストッパー１ｂ３６とを省略しても良い。
【００５６】
また、上記実施形態のアタッチメント取付け冶具１では、固定アゴ部１ａと可動アゴ部１ｂとは、それぞれのアゴ部同士回動軸受部１ａ４，１ａ４、１ｂ４，１ｂ４に通したアゴ部同士回動軸１ｃを中心に回動して開閉するように３軸タイプで説明したが、本発明では、これに限らず、例えば、図６や図７に示すようにアゴ部同士回動軸１ｃを省略した２軸タイプのアタッチメント取付け冶具１’，１”にも適用することができる。
【００５７】
例えば、図６に示すアタッチメント取付け冶具１’の場合には、可動アゴ部１ｂ’側の可動アゴ側回動軸３ｃ１をアゴ部同士回動軸として共用するタイプである。そのため固定アゴ部１ａ’のアゴ部同士回動軸受部１ａ４’が可動アゴ側回動軸受部１ｂ５（図３参照。）まで延びて形成され、固定アゴ部１ａ’のアゴ部同士回動軸受部１ａ４’と可動アゴ部１ｂ’の可動アゴ側回動軸受部１ｂ５（図３参照。）に通された可動アゴ側回動軸３ｃ１がアゴ部同士回動軸となって可動アゴ側回動軸３ｃ１を中心に固定アゴ部１ａ’に対し可動アゴ部１ｂ’が開くように動作する。尚、それ以外の構成や動作は、図１〜図５に示すアタッチメント取付け冶具１と同様である。
【００５８】
一方、図７に示すアタッチメント取付け冶具１”の場合には、固定アゴ部１ａ”側の固定アゴ側回動軸３ａ１をアゴ部同士回動軸として共用するタイプである。そのため可動アゴ部１ｂ”のアゴ部同士回動軸受部(図示せず。)が固定アゴ側回動軸受部１ａ５まで延びて形成され、可動アゴ部１ｂ”のアゴ部同士回動軸受部と固定アゴ部１ａ”の固定アゴ側回動軸受部１ａ５に通された固定アゴ側回動軸３ａ１がアゴ部同士回動軸となって固定アゴ側回動軸３ａ１を中心に固定アゴ部１ａ”に対し可動アゴ部１ｂ”が開くように動作する。尚、それ以外の構成や動作は、図６に示すアタッチメント取付け冶具１’の場合と同様に、図１〜図５に示すアタッチメント取付け冶具１と同様である。
【符号の説明】
【００５９】
１，１’，１”  アタッチメント取付け冶具
１ａ，１ａ’，１ａ”  固定アゴ部
１ａ１  固定側連結板
１ａ２  固定側水平基板
１ａ３  固定アゴ部側フック板
１ａ３０  固定アゴ部側ピン収容部
１ａ３１  固定アゴ部側ピン挟持部
１ａ３２  固定アゴ部側閉じ部用回動軸
１ａ３３  固定アゴ部側閉じ部
１ａ３４  固定アゴ部側ロックピン挿入孔
１ａ３５  被係合部
１ａ３６  固定アゴ部側閉じ部回動ストッパー
１ａ４，１ａ４アゴ部同士回動軸受部
１ａ５，１ａ５  固定アゴ側回動軸受部
１ｂ，１ｂ’，１ｂ”  可動アゴ部
１ｂ１  可動側連結部
１ｂ２  スライド基板
１ｂ３  可動アゴ部側フック板
１ｂ３０  可動アゴ部側ピン収容部
１ｂ３１  可動アゴ部側ピン挟持部
１ｂ３２  可動アゴ部側閉じ部用回動軸
１ｂ３３  可動アゴ部側閉じ部
１ｂ３４  可動アゴ部側ロックピン挿入孔
１ｂ３５  被係合部
１ｂ３６  可動アゴ部側閉じ部回動ストッパー
１ｂ３９  可動アゴ部側連結ピン案内面
１ｃ  アゴ部同士回動軸
１ｄ  アゴ同士閉じ過ぎ防止部
１ｅ  アゴ同士開き過ぎ防止部
２  アタッチメント
２ａ  固定アゴ部側連結ピン
２ｂ  可動アゴ部側連結ピン
３ａ  作動アーム
３ａ１  固定アゴ側回動軸
３ｂ  バケットシリンダ
３ｂ１  ピストン
３ｃ  可動アゴ連結リンク
３ｃ１  可動アゴ側回動軸
３ｄ  アームリンク
【図１】
2020159175.tif 000003
【図２】
2020159175.tif 000004
【図３】
2020159175.tif 000005
【図４】
2020159175.tif 000006
【図５】
2020159175.tif 000007
【図６】
2020159175.tif 000008
【図７】
2020159175.tif 000009